(57)【要約】【課題】  まだ見ていない映像コンテンツを検索・配信・再生することで、映像コンテンツの周知徹底を実現するコンテンツ配信管理システムを提供する。【解決手段】  ネットワーク４に映像コンテンツ配信サーバ１と映像コンテンツ再生端末２と配信管理サーバ３とが接続され、映像コンテンツ配信サーバ１に登録された映像を映像コンテンツ再生端末２に配信し再生するコンテンツ配信管理システムにおいて、映像コンテンツ再生端末２は近辺にいるあらかじめ映像コンテンツ配信サーバ１に登録された視聴ユーザーを認識し、視聴ユーザーの視聴履歴を配信管理サーバ３の配信管理ＤＢ３１に記録する機能を有する。【選択図】        図１
2006229723.tif 000002
【特許請求の範囲】
【請求項１】
ネットワークに映像コンテンツ配信サーバと映像コンテンツ再生端末と配信管理サーバとが接続され、前記映像コンテンツ配信サーバに登録された映像を映像コンテンツ再生端末に配信し再生するコンテンツ配信管理システムにおいて、前記映像コンテンツ再生端末は、近辺にいるあらかじめ映像コンテンツ配信サーバに登録された視聴ユーザーを認識し、該視聴ユーザーの視聴履歴を前記配信管理サーバの配信管理ＤＢに記録することを特徴とするコンテンツ配信管理システム。
【請求項２】
請求項１記載のコンテンツ配信管理システムにおいて、視聴履歴を元に、見た回数が最も少ない映像コンテンツを検索し、それを配信および再生することを特徴とするコンテンツ配信管理システム。
【請求項３】
請求項２記載のコンテンツ配信管理システムにおいて、前記映像コンテンツに重要度を設定可能であり、重要度の高いものから優先して配信および再生することを特徴とするコンテンツ配信管理システム。
【請求項４】
請求項２記載のコンテンツ配信管理システムにおいて、前記映像コンテンツが配信可能な映像コンテンツ再生端末を設定可能であり、設定された映像コンテンツ再生端末のみに映像コンテンツを配信および再生することを特徴とするコンテンツ配信管理システム。
【請求項５】
請求項２記載のコンテンツ配信管理システムにおいて、前記映像コンテンツおよび視聴ユーザーに公開レベルを設定することが可能であり、映像コンテンツの公開レベルよりも低い公開レベルを設定された視聴ユーザーが映像コンテンツ再生端末前にいるときにはその映像コンテンツは配信および再生を抑制することを特徴とするコンテンツ配信管理システム。
【請求項６】
請求項２記載のコンテンツ配信管理システムにおいて、映像コンテンツ再生端末には、映像コンテンツ再生端末に最も近い視聴ユーザーに再生中の映像コンテンツをメールで送信するための操作ボタンが設けられていることを特徴とするコンテンツ配信管理システム。
【請求項７】
請求項２記載のコンテンツ配信管理システムにおいて、映像コンテンツ再生端末の付近に視聴ユーザーがいないときには自動的にボリュームを下げることを特徴とするコンテンツ配信管理システム。
【発明の詳細な説明】
【技術分野】
【０００１】
本発明は、インターネットあるいはイントラネットに接続された１台あるいは複数台の映像コンテンツ配信サーバに登録された映像を、インターネットあるいはイントラネットに接続された複数の映像コンテンツ再生端末に配信し再生するコンテンツ配信管理システムに関する。
【背景技術】
【０００２】
インターネットは、ＴＣＰ／ＩＰ（Transmission Control Protocol/Internet Protocol）を標準プロトコルとした世界最大のコンピュータ・ネットワークであり、既に、膨大な情報が交わされている。その利用範囲は、行政や教育の分野はもちろんビジネスやショッピングなど日常の中にも及び、郵便・新聞・テレビなどと並ぶ新しいメディアとして認識されている。
また近年、映像コンテンツがインターネット上で公開・配信されており、映像コンテンツの視聴がより身近なものとなっている。情報伝達において、映像コンテンツが利用されることもしばしばあり、今後よりいっそう利用される機会が増すものと思われる。
ところで、このような映像コンテンツはあらかじめ決められたスケジュールで繰り返し再生されるのみである。情報伝達の見地からすれば視聴ユーザーがまだ見たことが無い映像コンテンツが再生されるべきであるが、機械的な再生の繰り返しではそのようなことは期待できない。
従来では、コンテンツ配信方法及びその方法における処理をコンピュータに行わせるためのプログラムが提案されている（例えば、特許文献１参照）。
【特許文献１】特開２００３−３１６７１０公報
【発明の開示】
【発明が解決しようとする課題】
【０００３】
特許文献１は、会話情報を元に再生する映像コンテンツを選択する方式であり、まだ見ていない映像コンテンツの配信、再生を図るという点で不充分なものであった。
本発明は、まだ見ていない映像コンテンツを検索・配信・再生することで、映像コンテンツの周知徹底を実現するコンテンツ配信管理システムを提供することを目的とする。
【課題を解決するための手段】
【０００４】
上記目的を達成するために、請求項１記載の発明は、ネットワークに映像コンテンツ配信サーバと映像コンテンツ再生端末と配信管理サーバとが接続され、映像コンテンツ配信サーバに登録された映像を映像コンテンツ再生端末に配信し再生するコンテンツ配信管理システムにおいて、映像コンテンツ再生端末は近辺にいるあらかじめ映像コンテンツ配信サーバに登録された視聴ユーザーを認識し、視聴ユーザーの視聴履歴を配信管理サーバの配信管理ＤＢに記録する機能を有するコンテンツ配信管理システムを最も主要な特徴とする。
請求項２記載の発明は、請求項１記載のコンテンツ配信管理システムにおいて、視聴履歴を元に、見た回数が最も少ない映像コンテンツを検索し、それを配信および再生するコンテンツ配信管理システムを主要な特徴とする。
請求項３記載の発明は、請求項２記載のコンテンツ配信管理システムにおいて、映像コンテンツに重要度を設定可能であり、重要度の高いものから優先して配信および再生するコンテンツ配信管理システムを主要な特徴とする。
請求項４記載の発明は、請求項２記載のコンテンツ配信管理システムにおいて、映像コンテンツが配信可能な映像コンテンツ再生端末を設定可能であり、設定された映像コンテンツ再生端末のみに映像コンテンツを配信および再生するコンテンツ配信管理システムを主要な特徴とする。
請求項５記載の発明は、請求項２記載のコンテンツ配信管理システムにおいて、映像コンテンツおよび視聴ユーザーに公開レベルを設定することが可能であり、映像コンテンツの公開レベルよりも低い公開レベルを設定された視聴ユーザーが映像コンテンツ再生端末前にいるときにはその映像コンテンツは配信および再生を抑制するコンテンツ配信管理システムを主要な特徴とする。
請求項６記載の発明は、請求項２記載のコンテンツ配信管理システムにおいて、映像コンテンツ再生端末には、映像コンテンツ再生端末に最も近い視聴ユーザーに再生中の映像コンテンツをメールで送信するための操作ボタンが設けられているコンテンツ配信管理システムを主要な特徴とする。
請求項７記載の発明は、請求項２記載のコンテンツ配信管理システムにおいて、映像コンテンツ再生端末の付近に視聴ユーザーがいないときには自動的にボリュームを下げるコンテンツ配信管理システムを主要な特徴とする。
【発明の効果】
【０００５】
本発明により、視聴ユーザーの視聴履歴を管理し、まだ見ていない映像コンテンツを検索・配信・再生することで、映像コンテンツの周知徹底を実現することができる。より具体的には以下の効果を奏する。
請求項１記載のコンテンツ配信管理システムにより、映像コンテンツの視聴ユーザーごとの視聴履歴を管理することができる。
請求項２記載のコンテンツ配信管理システムにより、視聴ユーザーに映像コンテンツをまんべんなく配信および再生することができる。
請求項３記載のコンテンツ配信管理システムにより、映像コンテンツ配信の優先度を設定できる。
請求項４記載のコンテンツ配信管理システムにより、映像コンテンツの配信および映像コンテンツ再生端末を限定できる。
請求項５記載のコンテンツ配信管理システムにより、映像コンテンツの配信および再生を視聴ユーザーごとに抑制できる。
請求項６記載のコンテンツ配信管理システムにより、視聴ユーザーは映像コンテンツを容易に入手できる。
請求項７記載のコンテンツ配信管理システムにより、無駄にスピーカ音を鳴り響かせることも無く、省電力化することができる。
【発明を実施するための最良の形態】
【０００６】
以下、図面を参照して、本発明の各実施例を詳細に説明する。
【実施例１】
【０００７】
図１は本発明の実施例に係るコンテンツ配信管理システムの第１の例を示す全体概念図である。
ある会社内のイントラネットにて映像配信を行い、社員ごとに映像コンテンツの再生端末にてコンテンツを視聴した履歴管理を行う例を示す。社員の識別は顔の識別などでも良いがこの例ではＲＦ−ＩＤタグにて行うものとする。社員はＩＤカードを所持しそこにＲＦ−ＩＤが埋め込まれているものとする。
コンテンツ配信管理システムは、映像コンテンツ配信サーバ１（Windows（登録商標） Media Serverなどの一般的なもの）と、映像コンテンツ再生端末２と、配信管理サーバ３とがネットワーク４によって接続されることで構成されている。
映像コンテンツ配信サーバ１は映像コンテンツＤＢ１１を備えている。映像コンテンツ再生端末２はユーザー識別装置（ＲＦ−ＩＤ識別装置）２１を備えている。配信管理サーバ３は配信管理ＤＢ３１を備えている。
配信管理サーバ３の配信管理ＤＢ３１には以下の情報が管理される。まず基本情報として、ユーザー情報３１ａ、再生端末情報３１ｂ、コンテンツ情報３１ｃが管理される。また、運用記録として、ユーザー視聴情報３１ｄ、コンテンツ再生情報３１ｅが管理される。
まず基本情報として社員（ユーザー）の名前やＲＦ−ＩＤの情報を、配信管理ＤＢ３１のうちのユーザー情報ＤＢエリア３１ａに、コンテンツ再生端末２の位置情報を再生端末情報ＤＢエリア３１ｂに記録しておく。
配信するコンテンツを登録する際には、映像コンテンツ配信サーバ１に登録すると共に、配信管理サーバ３の配信管理ＤＢ３１のコンテンツ情報ＤＢエリア３１ｃに、コンテンツ名、配信期間を登録する。配信管理サーバ３ではこの情報を元に映像コンテンツ配信サーバ１に配信を指示する。
処理の流れは以下のようになる。
１．  新たに作成された映像コンテンツは映像コンテンツ配信サーバ１に配置されると共にその情報を映像コンテンツＤＢ１１に格納する。
２．  配信管理サーバ３の配信スケジュール作成部では、コンテンツ全体の配信スケジュール管理を行う。
３．  映像コンテンツが配信されると映像コンテンツ再生端末２ごとに映像コンテンツの再生開示時刻、再生終了時刻が配信管理ＤＢ３１のコンテンツ再生情報ＤＢエリア３１ｅに追加される。
４．  ＲＦ−ＩＤ（ユーザー識別手段）を持った社員（ユーザー）が映像コンテンツ再生端末２の前を通ると、映像コンテンツ再生端末２に設けられたユーザー識別装置２１からどのＲＦ−ＩＤが何時から何時まで前に存在したという情報が配信管理サーバ３に送られる。ＲＦ−ＩＤ情報から社員（ユーザー）を特定し、ユーザーごとにどの映像コンテンツ再生端末２の前に何時から何時までいたという情報を視聴開始時刻、視聴終了時刻、映像コンテンツ再生端末名として、配信管理ＤＢ３１のユーザー視聴情報ＤＢエリア３１ｄに格納する。
以上のように保存される運用記録を利用することで、ユーザーごとのコンテンツ視聴履歴を得ることができる。
次にユーザーごとのコンテンツ視聴履歴を得るための処理フローを説明する。
１．  ユーザー視聴情報ＤＢエリア３１ｄから映像コンテンツ再生端末２ごとに視聴した時間を得る。
２．  １．で得られた視聴情報から、その時間に再生されたコンテンツを映像コンテンツＤＢ１１より得てコンテンツ再生情報ＤＢエリア３１ｅに記録する。
【実施例２】
【０００８】
実施例１と同様、ある会社内での情報共有として映像コンテンツを利用する場合、社員（ユーザー）にはできるだけ多くのコンテンツを見てもらう必要がある。
そこで社員（ユーザー）が映像コンテンツ再生端末２の前を通っている際、現在の映像コンテンツの次に流す映像コンテンツを、その社員がなるべく見ていないものにし、社員（ユーザー）への映像コンテンツの浸透を図る。
次に流す映像コンテンツを決める際には、実施例１の最後に取得方法を示したユーザーごとのコンテンツ視聴履歴を元に、視聴していない映像コンテンツがあればそれを次の映像コンテンツとし、もし全ての映像コンテンツが視聴済みであれば、一番視聴時間が短いもの（あるいは一番視聴回数が少ないもの）といったルールを決めておきそれに従う。
【実施例３】
【０００９】
実施例１と同様、ある会社内での情報共有として映像コンテンツを利用する場合、情報には重要度があると考えられる。例えばＰＣのウイルス対策は重要度が高いが社員食堂のメニューは重要度が低い、といった違いが考えられる。
そこで、配信スケジュール作成部では重要度が高い映像コンテンツほどより多く配信し、重要度が低い映像コンテンツほど少なく配信するスケジュールを立てそれに従って配信する。
【実施例４】
【００１０】
図２は本発明の実施例に係るコンテンツ配信管理システムの第２の例を示す全体概念図である。映像コンテンツ再生端末２にはボタン２２がついており、ボタン２２が押されたときに、再生していた映像コンテンツの関連情報を、ボタンを押した社員にメールで送付する。
そのためには、以下の処理の追加が必要となる。
・映像コンテンツ再生端末２のボタン２２を押すと、押した時間と押した人の情報を配信管理サーバ３に送る。
・ユーザー情報ＤＢエリアにおける情報には各人のメールアドレスを入れる。
・コンテンツ情報ＤＢエリアにはメールで送られる映像コンテンツの内容、コンテンツＵＲＬを追加する。
【図面の簡単な説明】
【００１１】
【図１】本発明の実施例に係るコンテンツ配信管理システムの第１の例を示す全体概念図。
【図２】本発明の実施例に係るコンテンツ配信管理システムの第２の例を示す全体概念図。
【符号の説明】
【００１２】
１  映像コンテンツ配信サーバ
２  映像コンテンツ再生端末
３  配信管理サーバ
４  ネットワーク
３１  配信管理ＤＢ
【図１】
2006229723.tif 000003
【図２】
2006229723.tif 000004